(57)【要約】【課題】顧客の設備に新たに発生した不具合な事象毎に当該事象に関連する対話の履歴を提示可能とする。【解決手段】顧客との対話により故障が新たに発生したことを認識したオペレータの操作指示に応じて故障毎に付与する案件ＩＤを生成し、顧客との対話が終了すると、案件ＩＤに、建物番号、対応開始日時、オペレータＩＤ、電話処理部１１１から受け取った録音データに設定された録音ＩＤ等を対応付けて対話情報を生成して対応ログ記憶部２１に登録する情報処理部１１２を有する。その後かかってきた電話による顧客との対話によりオペレータが案件を特定すると、情報処理部１１２は、当該案件の案件ＩＤが設定されている対応ログを取得し、電話受付画面に時系列順にリスト表示する。また、表示されている対応ログ（対話情報）の所定のボタンが選択されると、当該対話の録音データを再生する。【選択図】図１
2018182475.tif 000002
【特許請求の範囲】
【請求項１】
顧客からの電話に対応するオペレータにより使用されるオペレータ端末と、
顧客との対話の内容を記録する録音データに、当該録音データの識別情報及び録音開始日時情報を対応付けして記憶する録音データ記憶手段と、
を有し、
前記オペレータ端末は、
顧客から電話を受けると電話受付画面の表示制御を行う表示制御手段と、
オペレータが顧客の設備に不具合な事象が新たに発生したと判断したときに行う新規発行指示に応じて当該事象に対応付けて案件識別情報を発行する発行手段と、
顧客からの電話の対話時に特定される事象に対応する案件識別情報を、当該対話に関連する情報を含む対話情報及び当該対話の内容を記録した録音データと紐づける紐づけ手段と、
を有し、
前記表示制御手段は、顧客からの電話の対話時に特定される事象に紐づけられた対話情報を対話された順番に前記電話受付画面に表示させることを特徴とする監視システム。
【請求項２】
前記録音データ記憶手段には、更に前記事象に対応するエンジニアとの対話の内容を記録した録音データが、当該録音データの識別情報及び録音開始日時情報を対応付けして記憶されており、
前記紐づけ手段は、更に当該事象に対応する案件識別情報を、前記エンジニアとの対話に関連する情報を含む対話情報及び当該対話の内容を記録した録音データと紐づけることを特徴とする請求項１に記載の監視システム。
【請求項３】
前記対話情報が蓄積される対話情報記憶手段を有し、
前記対話情報には、案件識別情報、発信元の顧客の顧客情報、電話への対応開始日時、顧客に対応するオペレータのオペレータ識別情報、当該対話の録音データの識別情報が含まれていることを特徴とする請求項１に記載の監視システム。
【請求項４】
前記対話情報が蓄積される対話情報記憶手段を有し、
前記エンジニアとの対話に関連する情報を含む対話情報には、案件識別情報、当該事象に対応する顧客の顧客情報、電話への対応開始日時、対話したエンジニアのエンジニア識別情報、エンジニアに対応するオペレータのオペレータ識別情報、当該対話の録音データの識別情報が含まれていることを特徴とする請求項２に記載の監視システム。
【請求項５】
前記対話情報を構成する情報項目のうち設定されていない情報項目がある対話情報を保留情報として記憶する保留情報記憶手段と、
前記保留情報の設定されていない情報項目に情報を補充するための情報編集手段と、
を有することを特徴とする請求項３又は４に記載の監視システム。
【請求項６】
前記対話情報記憶手段に記憶されている対話情報に含まれている案件識別情報を編集する情報編集手段を有することを特徴とする請求項３又は４に記載の監視システム。
【発明の詳細な説明】
【技術分野】
【０００１】
本発明は、監視システム、特に顧客からの電話に対応するオペレータによる対話により生成する情報の管理に関する。
【背景技術】
【０００２】
全国に散在するビル設備、例えば契約先のビルに設置のエレベーターを監視するために、監視システムは、全国に複数箇所の監視センタを設置し、各監視センタに、それぞれの担当エリアに設置されているエレベーターを監視させている。
【０００３】
ビルオーナー等の顧客は、エレベーターに何らかの障害が発生したことを検知すると担当の監視センタに電話をかける。監視センタにおけるオペレータは、電話機が対応付けられている専用のオペレータ端末を使用して顧客との対応を行うが、顧客からかかってきた電話を受けると、発生した障害の内容及び障害の解決に向け、顧客と対話することになる。
【０００４】
監視センタでは、この顧客との対話の内容を録音している。その録音データには、記録日時と、顧客との対応に使用された電話機の識別情報とが紐付けられて蓄積される。
【先行技術文献】
【特許文献】
【０００５】
【特許文献１】特開２００５−２１７５３４号公報
【特許文献２】特開２００２−０９９７１８号公報
【発明の概要】
【発明が解決しようとする課題】
【０００６】
ところで、その後の状況の報告を受けるために顧客から電話が再度かかってきたり、あるいはエンジニアの派遣スケジュールの調整のためにオペレータから顧客に電話をしたりするなど、発生した障害等の事象につき顧客と何度か電話でやり取りする場合がある。その際、オペレータは、顧客と過去に行った対話の内容を確認してより正確に顧客と話す必要がある。
【０００７】
しかしながら、従来においては、録音データには記録日時や対話に使用された電話機を特定する情報しか紐付けられていなかったので、オペレータは、顧客と対話したときのおおよその日時を頼りに録音データを探し出さなければならなかった。また、同じ顧客の設備に複数の障害が発生している場合には、目的とする録音データを探し出すのが更に困難な状況になってしまう。このため、目的とする録音データを探し出すのに時間を余計に費やしてしまう場合があった。
【０００８】
本発明は、顧客の設備に新たに発生した不具合な事象毎に当該事象に関連する対話の履歴を提示可能とすることを目的とする。
【課題を解決するための手段】
【０００９】
本発明に係る監視システムは、顧客からの電話に対応するオペレータにより使用されるオペレータ端末と、顧客との対話の内容を記録する録音データに、当該録音データの識別情報及び録音開始日時情報を対応付けして記憶する録音データ記憶手段と、を有し、前記オペレータ端末は、顧客から電話を受けると電話受付画面の表示制御を行う表示制御手段と、オペレータが顧客の設備に不具合な事象が新たに発生したと判断したときに行う新規発行指示に応じて当該事象に対応付けて案件識別情報を発行する発行手段と、顧客からの電話の対話時に特定される事象に対応する案件識別情報を、当該対話に関連する情報を含む対話情報及び当該対話の内容を記録した録音データと紐づける紐づけ手段と、を有し、前記表示制御手段は、顧客からの電話の対話時に特定される事象に紐づけられた対話情報を対話された順番に前記電話受付画面に表示させることを特徴とする。
【００１０】
また、前記録音データ記憶手段には、更に前記事象に対応するエンジニアとの対話の内容を記録した録音データが、当該録音データの識別情報及び録音開始日時情報を対応付けして記憶されており、前記紐づけ手段は、更に当該事象に対応する案件識別情報を、前記エンジニアとの対話に関連する情報を含む対話情報及び当該対話の内容を記録した録音データと紐づけることを特徴とする。
【００１１】
また、前記対話情報が蓄積される対話情報記憶手段を有し、前記対話情報には、案件識別情報、発信元の顧客の顧客情報、電話への対応開始日時、顧客に対応するオペレータのオペレータ識別情報、当該対話の録音データの識別情報が含まれていることを特徴とする。
【００１２】
また、前記対話情報が蓄積される対話情報記憶手段を有し、前記エンジニアとの対話に関連する情報を含む対話情報には、案件識別情報、当該事象に対応する顧客の顧客情報、電話への対応開始日時、対話したエンジニアのエンジニア識別情報、エンジニアに対応するオペレータのオペレータ識別情報、当該対話の録音データの識別情報が含まれていることを特徴とする。
【００１３】
また、前記対話情報を構成する情報項目のうち設定されていない情報項目がある対話情報を保留情報として記憶する保留情報記憶手段と、前記保留情報の設定されていない情報項目に情報を補充するための情報編集手段と、を有することを特徴とする。
【００１４】
また、前記対話情報記憶手段に記憶されている対話情報に含まれている案件識別情報を編集する情報編集手段を有することを特徴とする。
【発明の効果】
【００１５】
本発明によれば、顧客の設備に新たに発生した不具合な事象毎に当該事象に関連する対話の履歴を提示することができる。
【００１６】
また、事象に関連するエンジニアとの対話の履歴を提示することができる。
【００１７】
また、設定されていない情報項目がある対話情報に対して情報を後から補充することができる。
【００１８】
また、事象と対話情報との紐付けを後から変更することができる。
【図面の簡単な説明】
【００１９】
【図１】本発明に係る監視システムの一実施の形態を示した全体構成図である。
【図２】本実施の形態における録音データ情報記憶部に蓄積される録音データ情報のデータ構成例を示す図である。
【図３】本実施の形態における顧客マスタに登録される顧客情報のデータ構成例を示す図である。
【図４】本実施の形態におけるエンジニアマスタに登録されるエンジニア情報のデータ構成例を示す図である。
【図５】本実施の形態においてオペレータ端末に表示される電話受付画面の一例を示す図である。
【図６】本実施の形態における対応ログ記憶部に蓄積される対話情報のデータ構成例を示す図である。
【発明を実施するための形態】
【００２０】
以下、図面に基づいて、本発明の好適な実施の形態について説明する。本実施の形態では、契約先のビル施設に設置されているエレベーター等の設備を監視する監視システムを例にして説明する。
【００２１】
図１は、本発明に係る監視システムの一実施の形態を示した全体構成図である。図１には、監視センタ１０及びサーバセンタ２０がイントラネット１で接続された構成が示されている。本実施の形態における監視システムは、全国を複数のエリアに分割し、エリア毎に監視センタを設けている。監視センタ１０では、担当エリア内のビルオーナー等の顧客からの電話に対応するなどの業務が行われる。なお、各監視センタ１０は、同等の業務を行うので、図１には１つの監視センタ１０のみ図示している。サーバセンタ２０は、複数のサーバコンピュータが設置され、各監視センタ１０が使用するデータベース等を複数のサーバコンピュータを用いて一括管理する。
【００２２】
本実施の形態における監視センタ１０は、オペレータ端末１１及びＰＢＸ（構内交換機：Ｐｒｉｖａｔｅ  Ｂｒａｎｃｈ  ｅＸｃｈａｎｇｅ）１２をＬＡＮ（Ｌｏｃａｌ  Ａｒｅａ  Ｎｅｔｗｏｒｋ）１３に接続した構成を有している。ＬＡＮ１３は、ルータ１４を介してイントラネット１に接続される。なお、監視センタ１０には、その他にも例えばエレベーターのかご内に設置されたインターフォンを接続するための装置等が設けられているが、本実施の形態の説明に用いない構成要素に関しては図１から省略している。
【００２３】
オペレータ端末１１は、顧客からの電話に対応するオペレータにより使用される専用の端末装置である。オペレータ端末１１には、電話機が対応付けして接続されている。本実施の形態では、オペレータ端末及び電話機の組を単に「オペレータ端末」と総称することにする。オペレータ端末１１は、複数台用意されているが、それぞれ同等の機能を持っているので図面では１台のみ示した。
【００２４】
オペレータ端末１１は、コンピュータを内蔵した専用の端末装置であり、ＣＰＵ、ＲＯＭ、ＲＡＭ、ＨＤＤを有し、更にネットワーク通信を行うネットワークインタフェース及びユーザインタフェースを有している。ユーザインタフェースとして、電話を用いて対話を行うためのヘッドセット、表示手段としてのディスプレイ、入力手段としてのマウスやキーボードが構成される。
【００２５】
また、オペレータ端末１１は、図１に示すように処理機能として、電話処理部１１１、情報処理部１１２、表示制御部１１３及びユーザインタフェース（ＵＩ）部１１４を有している。なお、本実施の形態の説明に用いない構成要素は図１から省略している。電話処理部１１１は、回線接続、対話処理、また対話の内容の記録処理等電話機を用いた処理全般を行う。ユーザインタフェース部１１４は、ユーザからの指示の受け付け、また表示制御部１１３による制御のもと情報の表示を行う。表示制御部１１３は、ディスプレイに表示する各種画面を生成してユーザインタフェース部１１４に表示させる。
【００２６】
情報処理部１１２は、オペレータ端末１１において取り扱う情報の生成、変更等の処理全般を行う。具体的には、オペレータが顧客の設備に不具合な事象が新たに発生したと判断したときに行う新規発行指示に応じて当該事象に対応付けて案件識別情報を発行する発行手段、顧客からの電話の対話時に特定される事象に対応する案件識別情報を、当該対話に関連する情報を含む対話情報及び当該対話の内容を記録した録音データと紐づける紐づけ手段、更に保留情報の設定されていない情報項目に情報を補充したり、対話情報に含まれている案件識別情報を編集したりする情報編集手段として機能する。
【００２７】
オペレータ端末１１における各構成要素１１１〜１１４は、オペレータ端末１１に搭載されたコンピュータと、コンピュータに搭載されたＣＰＵで動作するプログラムとの協調動作により実現される。本実施の形態で用いるプログラムは、通信手段により提供することはもちろん、ＣＤ−ＲＯＭやＵＳＢメモリ等のコンピュータ読み取り可能な記録媒体に格納して提供することも可能である。
【００２８】
ＰＢＸ１２は、図示しない電話回線網に接続されており、顧客からの電話（外線）をオペレータ端末１１につなげる。
【００２９】
サーバセンタ２０は、複数のサーバコンピュータを用いて対応ログ記憶部２１、保留情報記憶部２２、録音データ情報記憶部２３、顧客マスタ２４及びエンジニアマスタ２５を管理している。対応ログ記憶部２１には、オペレータと顧客又はエンジニアとの対話に関連する情報を含む対話情報やオペレータのアクションに関する情報が対応ログとして蓄積される。対話情報には、後述するように各種情報項目が含まれているが、オペレータが電話の対応等が忙しく１又は複数の情報項目を、蓄積される対話情報に設定することができずに一部欠落する場合がある。保留情報記憶部２２には、このような対話情報を構成する情報項目のうち設定されていない情報項目がある対話情報が保留情報として記憶される。
【００３０】
図２は、本実施の形態における録音データ情報記憶部２３に蓄積される録音データ情報のデータ構成例を示す図である。録音データ情報記憶部２３には、オペレータが顧客及びエンジニアとした対話の内容を記録する録音データが電話処理部１１１によって記録される。電話処理部１１１は、記録する際、図２に示すように、当該録音データの識別情報（以下「録音ＩＤ」）を付与し、録音ＩＤ、録音開始日時及び録音データを組にして録音データ情報記憶部２３に登録する。
【００３１】
図３は、本実施の形態における顧客マスタ２４に登録される顧客情報のデータ構成例を示す図である。顧客情報は、契約先となる顧客のビル毎に生成され、ビルを特定する建物番号に、顧客名称、住所、電話番号、ビルオーナー等の担当者、契約内容情報及び当該顧客の警備等を行う警備会社に関する情報等を含む。図３には、電話受付画面に表示されたり、対話情報に含まれたりする情報項目を示しており、顧客情報に含まれる情報項目はこれに限るものではない。
【００３２】
図４は、本実施の形態におけるエンジニアマスタ２５に登録されるエンジニア情報のデータ構成例を示す図である。エンジニアは、顧客のビル設備で発生した障害を修復する作業員であり、エンジニア情報には、各エンジニアを識別するエンジニア識別情報（以下、「エンジニアＩＤ」）、当該エンジニアの氏名、所属事業所及び部署、電話番号が含まれている。もちろん、これ以外の情報を含めてもよい。
【００３３】
なお、本実施の形態では、説明に用いないので図1から省略しているが、サーバセンタ２０にもオペレータ端末１１と同等の処理機能を持たせ、同等の処理を行う端末装置を設けてもよい。
【００３４】
図５は、本実施の形態においてオペレータ端末１１に表示される電話受付画面の一例を示す図である。電話受付画面は、オペレータが顧客からの電話を受け、所定の操作をすることで表示されることになるが、ここで、電話受付画面の画面構成について説明する。
【００３５】
電話受付画面には、オペレータに関連する情報の表示領域３１、顧客情報の表示領域３２、対応経緯の表示領域３３及び案件に関連する情報の入力領域３４が設けられている。また、状況に応じてオペレータが操作するアクション追加ボタン３５、新規案件ボタン３６、エンジニアボタン３７、キャンセルボタン３８、保存ボタン３９、対応終了ボタン４０及びプルダウンメニューを表示させるためのプルダウンボタン４１が設けられている。
【００３６】
オペレータの表示領域３１には、オペレータ端末１１を特定するオペレータ端末識別情報（以下、「オペレータ端末ＩＤ」）とオペレータ端末１１を使用しているオペレータの識別情報（以下、「オペレータＩＤ」）が表示される。
【００３７】
顧客情報の表示領域３２には、電話をかけてきた顧客であって当該顧客の契約対象となるビルに関する顧客情報が表示される。なお、各ビルは建物番号によって識別される。
【００３８】
対応経緯の表示領域３３には、該当する案件に関連する対話情報が対話された順番、つまり時系列順に表示される。本実施の形態では、対話に関する情報だけでなく、当該案件に関連する情報の全てを時系列順に表示する。ここで、「案件」というのは、顧客のビル設備に発生した不具合な事象のことをいう。本実施の形態では、どのビルでどのような不具合な事象（故障）が発生したか、すなわち、建物番号で特定されるビルと故障とにより案件が特定される。案件に関連する情報には、顧客との対話はもちろんのこと、故障を修復するエンジニアとの対話、更に故障の修復のためにオペレータ等が施した処理等に関する情報の全てが含まれる。
【００３９】
案件に関連する情報の入力領域３４には、顧客及びエンジニアとの対話の内容を記録するために、オペレータが入力するための領域である。例えば、図５に例示したように、顧客からの電話の内容、つまり故障内容を入力するための「受信」領域、エンジニアが現場（ビル）に訪問したことを記録するための「到着」領域、エンジニアから報告を受けた故障の原因を記録するための「原因」領域、エンジニア等が故障に対して施した内容を記録するための「処置」領域に分けて入力できるようにしてもよい。
【００４０】
次に、本実施の形態における動作について説明する。
【００４１】
オペレータは、オペレータ端末１１からオペレータＩＤ及びパスワードを入力することによって監視システム及びＰＢＸ１２にログインし、業務を開始する。そして、オペレータが顧客からかかってきた電話を受けると、電話処理部１１１は、オペレータと顧客との対話の内容の録音を開始する。
【００４２】
オペレータは、電話により顧客のビル（建物番号）を特定するための情報を聞き出し、所定の検索画面（図示せず）から聞き出した顧客の情報を入力する。そして、所定の操作を行うことで電話受付画面を表示させる。表示された電話受付画面の表示領域３１にはオペレータ端末ＩＤ及びオペレータＩＤが、表示領域３２には情報処理部１１２が入力された顧客の情報に基づき顧客マスタ２４を検索して取得した顧客情報が、それぞれ表示される。
【００４３】
まず、ここでは、顧客の設備に故障等何らかの不具合な事象が新たに発生したことにより、顧客から電話がかかってきたとする。なお、以降の説明では、不具合な事象として故障が発生した場合を例にして説明する。
【００４４】
オペレータは、顧客との対話により故障が新たに発生したことを認識すると、新規案件ボタン３６を選択する。情報処理部１１２は、新規案件ボタン３６の選択、すなわち新規発行指示に応じて当該故障に対応付けして案件識別情報（以下「案件ＩＤ」）を発行する。なお、ここでは新規案件なので、該当する案件ＩＤを含む対応ログは対応ログ記憶部２１登録されていない。従って、対応経緯の表示領域３３には何も表示されない。オペレータは、続いて顧客から故障の内容を聞き出すと、その内容を記録するために入力領域３４に書き込む。そして、顧客との対話が終了し、電話回線を切断すると、電話処理部１１１は、録音データに付与する録音ＩＤを生成し、その録音ＩＤに録音データ及び録音を開始した日時を付加して録音データ情報を生成し、録音データ情報記憶部２３に登録する。その後、電話処理部１１１は、録音ＩＤを情報処理部１１２に通知する。
【００４５】
顧客との対話を終了したオペレータは、保存ボタン３９を選択する。情報処理部１１２は、保存ボタン３９の選択に応じて対話情報を生成する。すなわち、情報処理部１１２は、新規に発行された案件ＩＤに、表示された顧客情報に含まれている建物番号、アクション、顧客からの電話への対応を開始した日時（対応開始日時）、ＰＢＸ１２から取得した発信元の電話番号、オペレータＩＤ、電話処理部１１１から受け取った録音ＩＤ、そしてオペレータ端末ＩＤ及び入力領域３４に書き込まれた故障内容等の情報を対応付けすることで対話情報を生成し、対応ログ記憶部２１に登録する。このように、本実施の形態においては、顧客からの電話の対話時に新規案件ボタン３６の選択により新規故障に対応した案件ＩＤが発行され、この案件ＩＤに各情報項目を紐付けることで対応ログを生成する。なお、アクションには、オペレータの行為の種別が設定される。例えば、電話の受信／発信、エンジニア（出動者）の予約等がある。前述した顧客からの電話を受けた場合のアクションは「受信」となる。
【００４６】
図６は、本実施の形態における対応ログ記憶部２１に記憶される対話情報のデータ構成例を示す図である。ここでは、図６に示した２種類の対話情報のうち顧客対応により生成されたデータ構成の対話情報が登録される。このデータ構成から明らかなように、今回の顧客との対話により生成される対話情報により、当該案件に関し、建物番号により顧客、録音ＩＤにより録音データ、オペレータＩＤによりオペレータが紐付けられることになる。
【００４７】
ところで、顧客は、故障が新たに発生したときに限らず、発生している故障について、例えばエンジニアの到着時刻等を監視センタに確認するために電話をかける場合がある。
【００４８】
この場合の動作について説明すると、オペレータが顧客からかかってきた電話を受けると、電話処理部１１１は、上記と同様にオペレータと顧客との対話の内容の録音を開始する。
【００４９】
オペレータは、電話により顧客及びビルを特定するための情報を聞き出し、所定の検索画面（図示せず）から聞き出した顧客の情報を入力する。そして、所定の操作を行うことで電話受付画面を表示させる。表示された電話受付画面の表示領域３１にはオペレータ端末ＩＤ及びオペレータＩＤが、表示領域３２には情報処理部１１２が入力された顧客の情報に基づき顧客マスタ２４を検索して取得した顧客情報が、それぞれ表示される。更に、情報処理部１１２は、顧客から聞き出した内容から特定した建物番号と電話番号で対応ログ記憶部２１を検索すると、前述した新規故障の場合と異なり、該当する対応ログが登録されているので、その対応ログから案件ＩＤを取得し、その取得した案件ＩＤを含む対応ログを抽出して対応経緯の表示領域３３に時系列順にリスト表示する。
【００５０】
本実施の形態によれば、このような同じ案件に関連する対応ログをオペレータが探し出すことなく、対応経緯の表示領域３３に自動的に表示することができる。なお、同じ顧客に対して複数の案件が同時並行して動いている場合もあり得る。なお、動いている案件というのは対応中の案件のことを意味するが、この場合、対応中の案件を別画面にリスト表示し、オペレータにそのリストの中から案件を選択させ、選択された案件に関連する対応ログを表示領域３３に表示させるようにしてもよい。
【００５１】
このように、電話受付画面への表示に関しては、新規案件の場合と異なるが、その他は新規案件の場合と同じなので説明を省略する。すなわち、情報処理部１１２は、図６に例示した顧客対応の対話情報を生成し、対応ログ記憶部２１に登録する。ここでは、顧客からの電話の対話時に顧客から聞き出した情報に基づきオペレータが特定した故障に対応した案件ＩＤに各情報項目を紐付けることで対応ログを生成することになる。
【００５２】
故障の内容が特定すると、エンジニアを現地に派遣して故障を修復させる必要があるかもしれない。前述した顧客と同様にエンジニアと電話をする場合がある。この場合、オペレータは、顧客の建物番号、あるいは顧客に対応中の案件が複数あるときには建物番号と案件を指定して故障修復の対象となる案件に関連する情報を電話受付画面に表示させ、この画面のエンジニアボタン３７を選択する。情報処理部１１２は、この選択操作に応じてエンジニアマスタ２５を検索して、エンジニアの情報を別画面にリスト表示する。そして、オペレータは、修復を依頼するエンジニアを選択すると、オペレータ端末１１は、そのエンジニアの電話番号宛に自動発呼を行う。
【００５３】
このようにして、エンジニアの電話との間で回線が接続されると、電話処理部１１１は、顧客との対話と同様にオペレータとエンジニアとの対話の内容の録音を開始する。
【００５４】
オペレータは、電話によりエンジニアに対して現地に出向くスケジュール等を指示したりするが、この対話の内容を入力領域３４に書き込む。そして、エンジニアとの対話が終了し、電話回線を切断すると、電話処理部１１１は、録音データに付与する録音ＩＤを生成し、その録音ＩＤに録音データ及び録音を開始した日時を付加して録音データ情報を生成し、録音データ情報記憶部２３に登録する。その後、電話処理部１１１は、録音ＩＤを情報処理部１１２に通知する。
【００５５】
エンジニアとの対話を終了したオペレータは、保存ボタン３９を選択する。情報処理部１１２は、保存ボタン３９の選択に応じて対話情報を生成するが、保存ボタン３９の選択後における処理は、対話の相手が異なるだけで顧客との対応の場合と同じでよい。すなわち、情報処理部１１２は、当該案件の案件ＩＤに、表示された顧客情報に含まれている建物番号、アクション、エンジニアからの電話への対応を開始した日時（対応開始日時）、エンジニアの電話番号、オペレータＩＤ、電話処理部１１１から受け取った録音ＩＤ、そしてオペレータ端末ＩＤ及び入力領域３４に書き込まれた指示内容等の情報を対応付けすることで対話情報を生成し、対応ログ記憶部２１に登録する。なお、この場合のアクションは「発信」となる。
【００５６】
図６には、エンジニアとの対応（社内対応）時における対話情報のデータ構成が示されているが、このデータ構成から明らかなように、エンジニアとの対話により生成された対話情報は、今回のエンジニアとの対話により生成される対話情報の案件ＩＤにより、顧客対応時に生成された対話情報と紐付けられることになる。
【００５７】
また、この後、エンジニアの派遣スケジュールが確定すると、オペレータは、顧客に電話をかけることになるが、この場合も当該案件の情報を電話受付画面に表示させ、顧客に発信し、そして対話終了後、保存ボタン３９を選択する。情報処理部１１２は、この選択操作に応じて対話情報を生成して対応ログ記憶部２１に登録する。
【００５８】
また、オペレータは、エンジニアから現地に到着したことや故障の原因、故障に対する処理等の連絡を電話で受けることに伴い、情報処理部１１２は、上記と同様に対話情報を生成して対応ログ記憶部２１に登録する。
【００５９】
ところで、オペレータが案件に対して行うアクションには、電話の対応のみとは限らない。例えば、自ら行う作業を忘れないようにアラームを設定したりする。この場合、オペレータは、該当する案件の情報を電話受付画面に表示させ、アクション追加ボタン３５を選択し、その選択により表示されるプルダウンメニューの中からアクション設定を選択することで表示された所定の設定画面（図示せず）からアクションを設定する。情報処理部１１２は、このオペレータの操作に応じて対応ログを生成して対応ログ記憶部２１に登録する。
【００６０】
このように、案件ＩＤにより紐付けられている対応ログは、対応経緯の表示領域３３に時系列順に表示されることになる。表示領域３３には、対応開始日時、アクション、オペレータが対話した相手、オペレータ及び故障内容等の詳細が表示され、オペレータは、この表示を参照することで本案件に対する対応履歴を一目瞭然に把握することができる。
【００６１】
また、表示領域３３の詳細の右端のプルダウンボタン４１を選択することで表示されるプルダウンメニューには、当該対応ログに関連して実施可能な処理がリスト表示される。例えば、電話にて対応したアクション「受信」や「発信」のプルダウンメニューには、「録音再生」が含まれている。オペレータが「録音再生」を選択すると、情報処理部１１２は、その対応ログ（対話情報）に含まれている録音ＩＤを取得し、その録音ＩＤに対応した録音データを録音データ情報記憶部２３からダウンロードして再生する。
【００６２】
本実施の形態によれば、顧客やエンジニアとの対話の内容を確認したい場合、オペレータは、リスト表示されている対応ログの中から選択操作するだけで、聞きたい対話の録音データを再生させることができる。
【００６３】
発生した故障が復旧し、当該故障に対する対応をこれ以上行う必要がなくなった場合、オペレータは、当該案件の情報を電話受付画面に表示させ、対応終了ボタン４０を選択する。情報処理部１１２は、この選択操作に応じて、当該案件をクローズする。これは、例えば、案件が対応中か終了したのかの別を示すフラグ情報を各案件に紐付けて情報管理するようにしてもよい。前述した顧客との対話の内容から案件を特定する処理において、対応中の案件についてはリスト表示してオペレータに選択させるようにしたが、フラグ情報を用いることでクローズした案件を表示するリストに含ませないようにすることができる。
【００６４】
ところで、複数の顧客から連続して着信がある場合、特に保留中の着信がある場合、オペレータは、顧客から聞き出した故障内容等を電話受付画面から書き込めず、保存ボタン３９を選択できないまま次の電話への対応を開始するような場合がある。このように、保存ボタン３９が選択されずに他の顧客の情報が電話受付画面に表示される場合、情報処理部１１２は、表示中の案件の処理が終了したとして取得済みの情報項目のみで対話情報の生成を試みる。例えば、故障内容が書き込まれていない場合、あるいは案件が特定できていない場合でも対話情報の生成を試みる。このように情報が不十分である対話情報しか生成できないような場合、情報処理部１１２は、この不完全な対話情報を対応ログ記憶部２１には登録せずに、保留情報として保留情報記憶部２２に登録する。
【００６５】
その後、オペレータは、時間を確保できるときに対話情報に必要な情報を補充して対話情報として完成させることになる。すなわち、オペレータＩＤは、オペレータがログインして電話受付画面が表示される段階では取得済みなので、情報処理部１１２は、オペレータＩＤを保留情報に含めることができる。また、対応開始日時や電話処理部１１１から取得する録音ＩＤも保留情報に含めることは可能である。そこで、オペレータが保留情報の編集処理を行う場合、電話受付画面のアクション追加ボタン３５を選択し、その選択により表示されるプルダウンメニューの中から情報の補充処理を選択する。情報処理部１１２は、この補充処理の選択操作に応じて、編集処理を行うオペレータに対応する保留情報を保留情報記憶部２２から取り出し、所定の編集画面（図示せず）に表示する。複数の保留情報が存在する場合には、その保留情報をリスト表示して、その中から編集対象とする保留情報を選択させる。オペレータは、この編集画面から不足している情報を入力することで補充する。補充が終了すると、情報処理部１１２は、完成させた対話情報を対応ログ記憶部２１に登録すると共に当該保留情報を保留情報記憶部２２から削除する。
【００６６】
本実施の形態では、このように業務の関係とから対話情報に含まれるべき情報項目の全てを設定できなかった場合でも追って設定できるようにした。
【００６７】
更に、本実施の形態では、対話情報への情報の補充のみならず、案件ＩＤを変更させて対話情報を他の案件に移せるようにした。すなわち、オペレータが対応ログを他の案件に移動させたい場合、電話受付画面のアクション追加ボタン３５を選択し、その選択により表示されるプルダウンメニューの中から他の案件への移動処理を選択する。情報処理部１１２は、この移動処理の選択操作に応じて、移動元と移動先の案件をオペレータに選択させ、移動元に含まれている案件の中から移動対象の対応ログを選択させる。このようにして、案件を構成する対応ログを編集させることができる。なお、移動先の案件を新規に作成するようにしてもよい。
【００６８】
以上説明したように、本実施の形態によれば、新たに発生した故障毎に案件ＩＤを割り振り、当該案件に関連する対応ログには当該案件の案件ＩＤを付加して情報管理するようにした。これにより、一の案件に関連する対応ログをまとめて電話受付画面に表示することができる。これにより、オペレータは、案件への対応の履歴を一目瞭然に把握することができる。つまり、当該案件に関し、誰から電話がかかってきたか、また誰に電話をしたかという対話の履歴を把握することができる。また、表示されている対応ログに対応させて表示したプルダウンボタン４１を操作し、表示されたプルダウンメニューから選択することで対話の録音データを容易に再生することができる。
【００６９】
なお、本実施の形態では、サーバセンタ２０を設けて、各監視センタ１０が取り扱うデータを一括管理させたが、各監視センタ１０が個々に管理するようにしてもよいし、双方に持たせてデータを二重系にて管理するようにしてもよい。
【００７０】
また、本実施の形態では、監視対象の設備としてビルに設置したエレベーター等の設備を例にして説明したが、他の設備の監視目的に利用してもよい。
【符号の説明】
【００７１】
１  イントラネット、１０  監視センタ、１１  オペレータ端末、１２  ＰＢＸ、１３，２６  ＬＡＮ、１４，２７  ルータ、２０  サーバセンタ、２１  対応ログ記憶部、２２  保留情報記憶部、２３  録音データ情報記憶部、２４  顧客マスタ、２５  エンジニアマスタ、１１１  電話処理部、１１２  情報処理部、１１３  表示制御部、１１４  ユーザインタフェース（ＵＩ）部。
【図１】
2018182475.tif 000003
【図２】
2018182475.tif 000004
【図３】
2018182475.tif 000005
【図４】
2018182475.tif 000006
【図５】
2018182475.tif 000007
【図６】
2018182475.tif 000008